(57)【要約】【課題】情報伝達部材が開口部から抜け落ち難い仕切り付き包装箱を提供する。【解決手段】箱１（仕切り付き包装箱）は、１枚の長方形状の台紙において、内蓋部１１、一方の側板部１２、底板部１３、他方の側板部１４及び外蓋部１５がこの順に、互いに台紙の一辺と平行な折り曲げ線Ｌ１〜Ｌ４を境界として連結され、各折り曲げ線Ｌ１〜Ｌ４での折り曲げにより、内蓋部１１の上に外蓋部１５が重ね合わされて閉じた空間が形成される一方、台紙の他辺側が閉鎖されない開口部とされた本体１０と、底板部１３の内面に貼付され、複数の商品３１（収容物）をそれぞれ挟み込んで保持可能な保持部２２を有する仕切り２０と、保持部２２の上部と内蓋部１１の内面との隙間に収容される、所定の情報が記載された情報伝達部材３２が開口部から抜け落ちるのを阻止する塞ぎ片１１ｃ（阻止部）と、を備える。【選択図】図３
2016210420.tif 000002
【特許請求の範囲】
【請求項１】
１枚の長方形状の台紙において、内蓋部、一方の側板部、底板部、他方の側板部及び外蓋部がこの順に、前記台紙の一辺と平行な複数の折り曲げ線を境界として連結され、前記各折り曲げ線での折り曲げにより、前記内蓋部の上に前記外蓋部が重ね合わされて閉じた空間が形成される一方、前記台紙の一辺と直交する他辺側が閉鎖されない開口部とされた本体と、
前記底板部の内面に貼付され、複数の収容物をそれぞれ挟み込んで保持可能な保持部を有する仕切りと、
前記保持部の上部と前記内蓋部の内面間の隙間に収容される、所定の情報が記載された情報伝達部材が前記開口部から抜け落ちるのを阻止する阻止部と、
を備えたことを特徴とする仕切り付き包装箱。
【請求項２】
前記阻止部は、前記開口部側の前記内蓋部の端縁を始端とする１対の切込みを有し、該切込み間の部位を内側へ曲げ起こすことで、前記保持部の上端部と接触するように延び出し、又は前記保持部の上端部に接近するように延び出し、前記隙間の少なくとも一部を塞ぐ塞ぎ片として構成されている請求項１に記載の仕切り付き包装箱。
【請求項３】
前記内蓋部は、前記一方の側板部との境界である前記折り曲げ線の近傍の内蓋基端部表面において前記外蓋部の自由端部裏面に貼付され、前記外蓋部には、前記折り曲げ線と平行な１対の切り取り線を含む分断部が形成され、その分断部を前記外蓋部から切り離すことで、前記内蓋部と貼付状態にある前記外蓋部が該内蓋部から分離されるように構成されている請求項２に記載の仕切り付き包装箱。
【請求項４】
前記分断部の端部が、前記塞ぎ片の上方に位置するように構成されている請求項３に記載の仕切り付き包装箱。
【請求項５】
前記阻止部は、前記底板部、前記開口部の一方、前記外蓋部及び前記開口部の他方にわたって前記本体を一周するように前記開口部の双方を覆う、該本体から着脱可能な帯状部材として構成されている請求項１に記載の仕切り付き包装箱。
【発明の詳細な説明】
【技術分野】
【０００１】
本発明は、仕切り付き包装箱に関し、例えば医療用のアンプルの収容に好適な仕切り付き包装箱に関する。
【背景技術】
【０００２】
仕切り付き包装箱として、例えば下記特許文献１に記載されているように、折曲線を介して内蓋板、側板、底板、側板、カットテープをその一部に有する蓋板をそれぞれ連設して台紙を形成し、その台紙の底板内底面に別に波状の中仕切を貼着し、波状中仕切の上表面に内蓋板及び蓋板を折り曲げてその一部を貼着したものが知られている。
【先行技術文献】
【特許文献】
【０００３】
【特許文献１】実公昭５４−２２４９９号公報
【発明の概要】
【発明が解決しようとする課題】
【０００４】
ところで、仕切り付き包装箱には、中仕切と内蓋板間の僅かなスペースを利用して、取扱い説明書やＩＤカード等の情報伝達部材が同封されるのが一般的である。この場合、上記のように構成された仕切り付き包装箱では、箱を形成する台紙の一辺側が閉鎖されない開口部とされているため、情報伝達部材が開口部から抜け落ち、紛失しやすいという問題があった。
【０００５】
本発明は、上記問題に対処するためになされたものであり、その目的は、情報伝達部材が開口部から抜け落ち難い仕切り付き包装箱を提供することにある。
【課題を解決するための手段】
【０００６】
上記目的を達成するために本発明の仕切り付き包装箱は、１枚の長方形状の台紙において、内蓋部、一方の側板部、底板部、他方の側板部及び外蓋部がこの順に、台紙の一辺と平行な複数の折り曲げ線を境界として連結され、各折り曲げ線での折り曲げにより、内蓋部の上に外蓋部が重ね合わされて閉じた空間が形成される一方、台紙の一辺と直交する他辺側が閉鎖されない開口部とされた本体と、
底板部の内面に貼付され、複数の収容物をそれぞれ挟み込んで保持可能な保持部を有する仕切りと、
保持部の上部と内蓋部の内面間の隙間に収容される、所定の情報が記載された情報伝達部材が開口部から抜け落ちるのを阻止する阻止部と、を備えたことを特徴とする。
【０００７】
本発明の仕切り付き包装箱は、上記のように構成されているため、情報伝達部材が開口部から抜け落ちるのを良好に防止することができる。
【図面の簡単な説明】
【０００８】
【図１】台紙の平面図。
【図２】実施例１に係り、商品を未収容の箱が開いた状態を示す斜視図。
【図３】商品を収容した箱が開いた状態を示す斜視図。
【図４】商品を収容した箱が閉じた状態を示す斜視図。
【図５】図４の平面図。
【図６】図４の側面図。
【図７】図６のVII-VII断面図。
【図８】図４の分断部を切り離した状態の箱を示す斜視図。
【図９】図８の箱が開いた状態を示す斜視図。
【図１０】変形例１に係る箱の一部を示す斜視図。
【図１１】変形例２に係る箱の一部を示す斜視図。
【図１２】変形例３に係る箱の一部を示す斜視図。
【図１３】変形例４に係る箱の一部を示す斜視図。
【図１４】変形例５に係る箱の一部を示す斜視図。
【図１５】実施例２に係る箱を示す斜視図。
【図１６】図１５の帯状部材を示す斜視図。
【発明を実施するための形態】
【０００９】
以下、本発明の実施形態について図面を用いて説明する。
【実施例１】
【００１０】
図２は、本発明の仕切り付き包装箱を適用した箱１を示す。箱１は、全ての部位が厚紙で形成されており、本体１０及び仕切り２０を備えている。本体１０は、図１に示されるように、１枚の長方形状の台紙２を原形とする。台紙２は、例えばロール状に巻き取られた所定幅寸法Ｄ１のロール紙が巻きほぐされて組み立てライン上を搬送される間に、所定の切断長さＤ２に切断されて形成される。この実施例１では、例えば台紙２の一辺２ａ（例えば短辺）がロール紙の切断長さＤ２に設定され、その一辺と直交する他辺２ｂ（例えば長辺）がロール紙の幅寸法Ｄ１に設定されている。
【００１１】
本体１０は、内蓋部１１、折り曲げ線Ｌ１、側板部１２（一方の側板部）、折り曲げ線Ｌ２、底板部１３、折り曲げ線Ｌ３、側板部１４（他方の側板部）、折り曲げ線Ｌ４、外蓋部１５を図１中の左側からこの順に一体に備えている。各折り曲げ線Ｌ１〜Ｌ４は、いずれも台紙２の一辺２ａと平行に形成されている。内蓋部１１、底板部１３及び外蓋部１５は同じ幅寸法Ｄ３に設定され、側板部１２，１４は同じ幅寸法Ｄ４に設定されている。本体１０は、その組み立て状態では、内蓋部１１の上に外蓋部１５が重ね合わされ、角形筒形状を呈する（図４参照）。
【００１２】
台紙２の他辺２ｂ側に相当する内蓋部１１の各端縁１１ａには、１対の切込み１１ｂが形成されている。各切込み１１ｂは、端縁１１ａの中間部に端縁１１ａを始端として折り曲げ線Ｌ１〜Ｌ４と平行な所定の長さに形成されている。切込み１１ｂ間の部位は、本体１０の内側へ曲げ起こされることで、塞ぎ片１１ｃとして機能する（図３参照）。
【００１３】
また、内蓋部１１の中央部には、切込み１１ｄが形成されている。切込み１１ｄは、折り曲げ線Ｌ１〜Ｌ４と平行な所定の長さに形成されている。切込み１１ｄには、後述する外蓋部１５の係合片１５ｆが差し込み可能とされている。
【００１４】
外蓋部１５の表面には、商品等の商品情報が印刷表示される。外蓋部１５には、台紙２の他辺２ｂ側の各端縁１５ａを始端及び終端とする１対の切り取り線Ｌ５を含む分断部１５ｂが形成されている。分断部１５ｂは、折り曲げ線Ｌ１〜Ｌ４と平行に形成され、外蓋部１５を折り曲げ線Ｌ４側の外蓋基端部１５ｃと、台紙２の一辺２ａ側の外蓋先端部１５ｄ（外蓋部１５の自由端部）とに分離する。
【００１５】
外蓋基端部１５ｃの中央部には、切込み１５ｅが形成されている。切込み１５ｅは、台紙２の対向する一辺２ａを上下として見た場合に略Ｕ字状をなすように形成されている。切込み１５ｅ間の部位は、使用者により本体１０の内側へ曲げ起こされ、内蓋部１１の切込み１１ｄに差し込み可能な係合片１５ｆとして機能する（図９参照）。
【００１６】
仕切り２０は、図２及び図７に示されるように、帯状に細長い台紙の両端部を接着剤等により接合したものであり、図示下側の固定部２１と上側の保持部２２とを一体に備えている。固定部２１は、平板状をなし、底板部１３の内面に貼付されている。保持部２２は、複数の収容物としての商品３１（例えば医療用のアンプル）をそれぞれ挟み込んで保持する機能を有し、台紙２の一辺２ａの方向に沿って所定のピッチで凹凸を規則的に繰り返す曲線状（例えば波状）に形成されている。
【００１７】
上記のように構成された箱１は、組み立てラインにより、以下に述べる各工程を経て自動的に組み立てられる。この場合、台紙２は、上述したように切断長さＤ２で切断されることになるが、その切断前の段階で折り曲げ線や切り取り線、切込みを形成するための突起やカッタなどを備えたローラにより、折り曲げ線Ｌ１〜Ｌ４、切り取り線Ｌ５及び切込み１１ｂ，１１ｄ，１５ｅがそれぞれ所定のタイミングで形成される。
【００１８】
台紙２が切断長さＤ２で切断された後、予め形成された仕切り２０が底板部１３の内面に貼付される。なお、台紙２が切断される前の段階で、仕切り２０が底板部１３の内面に貼付されるように構成してもよい。図３に示されるように、仕切り２０の保持部２２には商品３１が収容され、保持部２２の上部には、所定の情報が記載された情報伝達部材３２（例えば、取扱い説明書やＩＤカード等）が載置される。
【００１９】
切込み１１ｂ間の部位が曲げ起こされて塞ぎ片１１ｃが形成される。そして、内蓋部１１、側板部１２、底板部１３、側板部１４及び外蓋部１５が商品３１を包むように折り曲げ線Ｌ１〜Ｌ４に沿って折り曲げられる。
【００２０】
内蓋部１１における折り曲げ線Ｌ１の近傍の内蓋基端部１１ｅの表面に接着剤が塗布され、その上に外蓋先端部１５ｄの裏面が貼付される（図３及び図４参照）。なお、外蓋先端部１５ｄの裏面に接着剤が塗布され、その下に内蓋基端部１１ｅの表面が貼付されるように構成してもよいし、内蓋基端部１１ｅの表面と外蓋先端部１５ｄの裏面の両面に接着剤が塗布されるように構成してもよい。
【００２１】
このように商品３１を収容した箱１は、図４〜図６に示されるように、内蓋部１１の上に外蓋部１５が重ね合わされて閉じた空間が形成される一方、内蓋部１１の塞ぎ片１１ｃ側が閉鎖されない開口部１０ａとされている。箱１内では、図７に示されるように、情報伝達部材３２が保持部２２の上部と内蓋部１１の内面間の隙間Ｓ１に収容されている。
【００２２】
箱１を開ける場合は、図８及び図９に示されるように、外蓋部１５から分断部１５ｂを切り離し、外蓋部１５を外蓋基端部１５ｃと外蓋先端部１５ｄとに分離する。外蓋先端部１５ｄは内蓋基端部１１ｅの表面に接着した状態のまま残るが、外蓋基端部１５ｃは内蓋部１１とは接着されていない。
【００２３】
このため、外蓋基端部１５ｃと内蓋部１１が重ね合わされた拘束状態から解放され、外蓋基端部１５ｃ及び内蓋部１１をそれぞれ折り曲げ線Ｌ４，Ｌ１に沿って開方向に曲げ起こせば、箱１を開くことができる。この場合、切込み１５ｅ間の部位を箱１の内側へ曲げ起こして係合片１５ｆを形成し、これを切込み１１ｄに差し込めば、箱１を簡易に閉じることができる。
【００２４】
ところで、本実施例１において、内蓋部１１の塞ぎ片１１ｃは、図７に示されるように、保持部２２のうち最も開口部１０ａ寄りに位置する始端及び終端側保持部２２ａの上端部と接触するように箱１の内側へ延び出している。本実施例１では、塞ぎ片１１ｃの内蓋部１１に対する傾斜角度θが３０〜９０°、好ましくは４５〜６０°となるように、切込み１１ｂにおける切込み深さが設定されている。このため、始端及び終端側保持部２２ａの上方において隙間Ｓ１の中央部が塞ぎ片１１ｃにより塞がれた状態となっている。塞ぎ片１１ｃが本発明の阻止部に相当する。
【００２５】
このような構成により、開口部１０ａが下側となるように箱１を傾けても、情報伝達部材３２が塞ぎ片１１ｃと接触し、それ以降は開口部１０ａ側への進入が阻止されるため、開口部１０ａから抜け落ちるのを良好に防止することができる。
【００２６】
上記実施例１では、塞ぎ片１１ｃが箱１の内側へ延び出しつつ、始端及び終端側保持部２２ａの上端部と接触するように構成されていたが、情報伝達部材３２がＩＤカードのような薄板状のものでなければ、始端及び終端側保持部２２ａの上端部と接触する態様に限らず、例えば図１０に示されるように、始端及び終端側保持部２２ａの上端部と距離を置きつつ接近するように箱１の内側へ延び出す構成としてもよい。なお、図１０において上記実施例１と同じ機能を果たす部位には同じ符号を付して説明を省略する。
【００２７】
この変形例１によっても、情報伝達部材３２が塞ぎ片１１ｃと十分に接触可能であるため、塞ぎ片１１ｃとの接触により情報伝達部材３２が開口部１０ａから抜け落ちるのを防止することができる。
【００２８】
また、上記実施例１及び変形例１では、塞ぎ片１１ｃが箱１の開口部１０ａ側へ延び出すように構成されていたが、これに限らず例えば図１１に示されるように、塞ぎ片１１ｃが箱１の奥側へ延び出しつつ、始端及び終端側保持部２２ａの上端部と接触するように構成してもよい。すなわち、この変形例２では、塞ぎ片１１ｃの内蓋部１１に対する傾斜角度θが９０°を超えることとなる。なお、図１１において上記実施例１と同じ機能を果たす部位には同じ符号を付して説明を省略する。
【００２９】
この変形例２によれば、始端及び終端側保持部２２ａとの接触により曲げ基端１１ｆを支点とする塞ぎ片１１ｃの開口部１０ａ側への回動が阻止されるので、情報伝達部材３２が大きい場合や重量がある場合でも、情報伝達部材３２が開口部１０ａから抜け落ちるのを良好に防止することができる。
【００３０】
また、上記実施例１では、図５に示されるように、外蓋部１５の分断部１５ｂの端部と内蓋部１１の塞ぎ片１１ｃとが上下に重ならないように構成されていたが、これに限らず例えば図１２に示されるように、外蓋部１５の分断部１５ｂの端部が内蓋部１１の塞ぎ片１１ｃの上方に位置するように構成してもよい。また、この変形例３についても、上記変形例２と同様、塞ぎ片１１ｃが箱１の奥側へ延び出しつつ、始端及び終端側保持部２２ａの上端部と接触するように構成することができる。なお、図１２において上記実施例１と同じ機能を果たす部位には同じ符号を付して説明を省略する。
【００３１】
この変形例３によれば、塞ぎ片１１ｃの形成に伴い、分断部１５ｂの端部の下方にその端部を摘むためのスペースＳ２（すなわち、切込み１１ｂ間の部位に相当するスペース）が形成されるので、分断部１５ｂの端部がより摘みやすくなるという効果が得られる。
【００３２】
なお、上記変形例３では、分断部１５ｂが外蓋部１５の中央を横切るように折り曲げ線Ｌ１，Ｌ４と平行に形成され、塞ぎ片１１ｃが内蓋部１１の端縁１１ａの中央位置に形成されているが、分断部１５ｂは上記実施例１と同様、中央から外れた位置に形成してもよい。この場合、塞ぎ片１１ｃは内蓋部１１の端縁１１ａの中央位置ではなく、分断部１５ｂの下方に位置するように設けられることとなる。
【００３３】
また、上記実施例１及び各変形例では、塞ぎ片１１ｃが内蓋部１１の各端縁１１ａに一つずつ設けられるように構成されていたが、これに限らず例えば図１３に示されるように、複数の塞ぎ片１１ｃ（図１３では２つの場合が例示）を内蓋部１１の各端縁１１ａに設けるようにしてもよい。また、この変形例４についても、上記変形例２と同様、塞ぎ片１１ｃが箱１の奥側へ延び出しつつ、始端及び終端側保持部２２ａの上端部と接触するように構成することができる。なお、図１３において上記実施例１及び各変形例と同じ機能を果たす部位には同じ符号を付して説明を省略する。
【００３４】
この変形例４によれば、複数の塞ぎ片１１ｃの形成に伴い、始端及び終端側保持部２２ａの上方において塞ぎ片１１ｃにより塞がれる隙間Ｓ１の領域が広くなるので、情報伝達部材３２が大きい場合や重量がある場合でも、情報伝達部材３２が開口部１０ａから抜け落ちるのを良好に防止することができる。
【００３５】
また、上記実施例１及び各変形例では、塞ぎ片１１ｃの幅寸法が分断部１５ｂの幅寸法とそれほど大きく変わらないように構成されていたが、これに限らず例えば図１４に示されるように、分断部１５ｂの幅寸法に比して塞ぎ片１１ｃの幅寸法を長く設定してもよい。また、この変形例５についても、上記変形例２と同様、塞ぎ片１１ｃが箱１の奥側へ延び出しつつ、始端及び終端側保持部２２ａの上端部と接触するように構成することができる。なお、図１４において上記実施例１及び各変形例と同じ機能を果たす部位には同じ符号を付して説明を省略する。
【００３６】
この変形例５によっても、上記変形例４と同様、始端及び終端側保持部２２ａの上方において塞ぎ片１１ｃにより塞がれる隙間Ｓ１の領域が広くなるので、情報伝達部材３２が大きい場合や重量がある場合でも、情報伝達部材３２が開口部１０ａから抜け落ちるのを良好に防止することができる。
【実施例２】
【００３７】
上記実施例１及び各変形例では、塞ぎ片１１ｃが阻止部としての機能を果たす態様であったが、これに限らず、例えば図１５及び図１６に示されるように、本体１０とは別個の帯状部材４０が阻止部としての機能を果たすように構成してもよい。なお、図１５において上記実施例１と同じ機能を果たす部位には同じ符号を付して説明を省略する。
【００３８】
帯状部材４０は、例えば透明な樹脂製フィルムであり、内蓋部１１の幅寸法Ｄ３よりも短い幅寸法を有している。帯状部材４０は、底板部１３、一方の開口部１０ａ、外蓋部１５、他方の開口部１０ａにわたって本体１０を一周する程度の周長となるようにその両端部が接合部４１にて一体化されている。このような帯状部材４０を箱１に装着することにより、双方の開口部１０ａが覆われるようになる。
【００３９】
この実施例２によっても、帯状部材４０との接触により情報伝達部材３２が開口部１０ａから抜け落ちるのを良好に防止することができる。
【００４０】
その他、本発明は上記実施例１，２及び各変形例に限らず、その趣旨を逸脱しない範囲において種々の変更を加えた態様で実施することが可能である。
【符号の説明】
【００４１】
１  箱
２  台紙
１０  本体
１０ａ  開口部
１１  内蓋部
１１ｂ  切込み
１１ｃ  塞ぎ片（阻止部）
１２  側板部（一方の側板部）
１３  底板部
１４  側板部（他方の側板部）
１５  外蓋部
Ｌ１〜Ｌ４  折り曲げ線
Ｌ５  切り取り線
２０  仕切り
２２  保持部
２２ａ  始端及び終端側保持部
３１  商品（収容物）
３２  情報伝達部材
４０  帯状部材（阻止部）
Ｓ１  隙間
【図１】
2016210420.tif 000003
【図２】
2016210420.tif 000004
【図３】
2016210420.tif 000005
【図４】
2016210420.tif 000006
【図５】
2016210420.tif 000007
【図６】
2016210420.tif 000008
【図７】
2016210420.tif 000009
【図８】
2016210420.tif 000010
【図９】
2016210420.tif 000011
【図１０】
2016210420.tif 000012
【図１１】
2016210420.tif 000013
【図１２】
2016210420.tif 000014
【図１３】
2016210420.tif 000015
【図１４】
2016210420.tif 000016
【図１５】
2016210420.tif 000017
【図１６】
2016210420.tif 000018